(57)【要約】      （修正有）【課題】簡易にかつすばやく上飾り糸送り機構に絡まった断線糸を取り除き、再度通すことが可能な上飾り糸送り機構を備えるアーム式ミシンを提供する。【解決手段】中空の機体１１の外部に、上飾り糸５０を供給する少なくとも１つの糸台と、機体の内部の揺動軸３０により駆動される揺動シャフト３１と、揺動シャフトの揺動により上飾り糸を緩め送る上飾り糸送り機構４０と、が設けられ、上飾り糸送り機構は、機体の外部に接設する少なくとも１つの位置決め部と、位置決め部から延伸して連結され、それぞれ揺動シャフトの両側に位置する２つの糸通過台と、糸通過台に設けられ上飾り糸を通すための少なくとも１つの穿孔とを有する。揺動シャフトの連続揺動と、糸通過台を通る上飾り糸の押圧により、糸を緩め、アーム式ミシンに糸を連続して供給する断線した糸が絡まることなく、再度の糸通しも容易である。【選択図】図２
0003204553.tif 000002
【実用新案登録請求の範囲】
【請求項１】
中空の機体（１１）の外部に、上飾り糸（５０）を供給する少なくとも１つの糸台（１２）と、前記機体（１１）の内部の揺動軸（３０）によって駆動される揺動シャフト（３１）と、前記揺動シャフト（３１）の揺動によって前記上飾り糸（５０）を緩め送る上飾り糸送り機構（４０）と、が設けられ、
前記上飾り糸送り機構（４０）は、前記機体（１１）の外部に接設する少なくとも１つの位置決め部（４１）と、前記位置決め部（４１）から延伸して連結され、それぞれ前記揺動シャフト（３１）の両側に位置する２つの糸通過台（４２）と、前記糸通過台（４２）に設けられ前記上飾り糸（５０）を通すための少なくとも１つの穿孔（４２１）と、を有すること
を特徴とするアーム式ミシン。
【請求項２】
前記位置決め部（４１）は、前記糸通過台（４２）の高さ位置を調整することが可能な長孔（４１１）を有することを特徴とする請求項１に記載のアーム式ミシン。
【請求項３】
前記位置決め部（４１）及び前記糸通過台（４２）は、延伸部（４３）によって連結され、前記延伸部（４３）は、前記糸通過台（４２）の高さ位置を調整することが可能な長条孔（４３１）を有することを特徴とする請求項１又は請求項２に記載のアーム式ミシン。
【請求項４】
前記糸通過台（４２）及び前記延伸部（４３）は、連結部材（４４）によって連結されていることを特徴とする請求項３に記載のアーム式ミシン。
【請求項５】
前記連結部材（４４）は、前記糸通過台（４２）の高さ位置を調整することが可能な調整孔（４４１）を有することを特徴とする請求項４に記載のアーム式ミシン。
【考案の詳細な説明】
【技術分野】
【０００１】
本考案は、アーム式ミシンに係るものであり、特に上飾り糸送り機構を備えたアーム式ミシンに関する。
【０００２】
本考案における「アーム式ミシン」は、その構造の特徴又は機能が、二枚の布地の縁を合わせて縫合することが主であるため、業界では「併縫用ミシン」又は「併縫ミシン」と称する。通常、４針６糸（４本の縫合糸、１本のベース糸と１本の上飾り糸を含む）又は４針７糸（４本の縫合糸、１本のベース糸と２本の上飾り糸を含む）を用いて縫合するため、業界では「４針６（７）糸縫合機」又は「４針６（７）糸ミシン」と称することも多い。
【０００３】
なお、先行技術に関しては、台湾特許第５１０３４１号「アーム式４針６糸縫合機の糸緩め器改良構造」を参照する。当該公報では、上機体、調節シャフト及び外部設置式糸緩めモジュールを含む、アーム式４針６糸縫合機の糸緩め器改良構造に関する技術を開示している。前記上機体の内部は、部品の設置エリアであって、前記上機体外部には、軸受け台が設けられ、当該軸受け台はスピンドルに連結されており、当該スピンドルの一方の歯型ベルト滑車には、歯型ベルトが嵌設されている。前記調節シャフトは、上機体の部品設置エリア内に設けられ、下主軸の歯型滑車は歯型ベルトの片側に嵌設されている。前記外部設置式糸緩めモジュールは、上飾り糸緩め器と下かぎ針糸緩め器が軸受け台のスピンドルのもう一方の片側に嵌設され、かつ、糸緩め板モジュールに接設することにより、糸緩め器機構を上機体の外部に設置することで、上飾り糸緩め器、下かぎ針糸緩め器及び糸緩め板モジュールの視認性及び保守作業性を向上させる。
【先行技術文献】
【特許文献】
【０００４】
【特許文献１】台湾特許第５１０３４１号明細書
【考案の概要】
【考案が解決しようとする課題】
【０００５】
前述の技術内容から、アーム式４針６糸縫合機が縫合過程のステップにおいて、前記上飾り糸緩め器の凸輪の回転によって、上飾り糸を緩める目的を達成していることがわかる。しかしながら、先行技術において、上飾り糸緩め器は、アーム式４針６糸縫合機の上機体の外部の真上に設置されるため、構造が複雑であり、アーム式４針６糸縫合機の外観を損なう。また、上飾り糸緩め器の機構と利用者との距離が非常に近いため、利用者が誤って上飾り糸緩め器に接触し、けがをする重大な問題がある。したがって、アーム式４針６糸縫合機（アーム式ミシン）の技術分野において、当業者は長らく上飾り糸緩め器（上飾り糸送り機構）の設置位置とその機構に対する技術的偏見が根強く、かつ、前述の先行技術は利用者の需要に適さない。いかに利用者にとって簡易的かつすばやく上飾り糸緩め器（上飾り糸送り機構）に絡まった断線した糸を取り除きやすく設計し、上飾り糸緩め器（上飾り糸送り機構）の構造を簡略化することで利用者が容易かつすばやく上飾り糸を再度通すことを可能とするかが、当業者の喫緊の課題であった。
【０００６】
本考案の目的は、従来の凸輪構造で糸緩めを実現する技術を、揺動シャフトの揺動動作によって上飾り糸送り機構と併せることにより、上飾り糸を押圧することで糸を緩める効果を簡単に達成することである。本考案に係る新型アーム式ミシンにおいて、縫合中に上飾飾り糸が断線した場合、当該上飾り糸送り機構は、前記上飾り糸が絡まることなく、かつ、前記上飾り糸送り機構が機体の外部に設けられるため、使用者の操作性が保たれる。
【課題を解決するための手段】
【０００７】
上記の目的を鑑み、本考案は、中空の機体の外部に、上飾り糸を供給する少なくとも１つの糸台と、前記機体の内部の揺動軸によって駆動される揺動シャフトと、前記揺動シャフトの揺動によって前記上飾り糸を緩め送る上飾り糸送り機構と、が設けられ、前記上飾り糸送り機構は、前記機体の外部に接設する少なくとも１つの位置決め部と、前記位置決め部から延伸して連結され、それぞれ前記揺動シャフトの両側に位置する２つの糸通過台と、前記糸通過台に設けられ前記上飾り糸を通すための少なくとも１つの穿孔と、を有する。
【０００８】
また、実施例において、前記位置決め部は、前記糸通過台の高さ位置を調整することが可能な長孔を有する。
【０００９】
また、実施例において、前記位置決め部及び前記糸通過台は、延伸部によって連結される。
【００１０】
また、実施例において、前記延伸部は、前記糸通過台の高さ位置を調整することが可能な長条孔を有する。
【００１１】
また、実施例において、前記糸通過台及び前記延伸部は、連結部材によって連結されている。
【００１２】
また、実施例において、前記連結部材は、前記糸通過台の高さ位置を調整することが可能な調整孔を有する。
【考案の効果】
【００１３】
前述した本考案の技術によって、先行技術と比較し下記の実施効果を有する。
本考案によれば、利用者に凸輪構造によらない糸緩めを実現する技術を提供し、本技術分野において長らく凸輪構造を採用する根強い設計上の偏見を克服し、技術的偏見によって採用されない揺動シャフトの揺動動作によって前記上飾線送り機構に併せ、当該上飾り糸を押圧し糸緩めの効果を実現することで構造を簡略化し、先行技術で長らく存在していた問題を解決し、利用者の実際の需要を満たす目的を達成できる。
本考案のアーム式ミシンにおいて、縫合中に前記上飾り糸が断線した場合、前記上飾り糸送り構造は、前記上飾り糸が絡まることなく、かつ、前記上飾り糸送り機構が機体外部に設置されているため、利用者がより簡易的に上飾り糸を再度通すことを可能とし、利用者の操作性を保つことができる。
【図面の簡単な説明】
【００１４】
【図１】本考案の第一実施例に係るアーム式ミシンの外観斜視図である。
【図２】図１に示すアーム式ミシンの部分拡大図である。
【図３】図２に示すアーム式ミシンの分解斜視図である。
【図４】図３に示すアーム式ミシンの上飾り糸送り機構の拡大図である。
【図５】図１に示すアーム式ミシンの部分拡大図である。
【図６】図５に示すアーム式ミシンの動作を示す図である。
【図７】本考案の第二実施例に係るアーム式ミシンの上飾り糸送り機構の分解斜視図である。
【図８】本考案の第三実施例に係るアーム式ミシンの上飾り糸送り機構の分解斜視図である。
【考案を実施するための形態】
【００１５】
本考案の実施例及び技術内容を、図面を参照して説明する。まず、図１乃至図４は、本考案の第一実施例に係る外観斜視図と、部分拡大図と、分解斜視図と、上飾り糸送り機構の拡大図である。
【００１６】
図のように、本考案が提案する上飾り糸送り機構を備えるアーム式ミシン１０は、中空の機体１１の外部に、少なくとも１つの上飾り糸５０を供給する糸台１２と、中空の機体１１の内部の揺動軸３０によって駆動される揺動シャフト３１と、揺動シャフト３１の揺動によって上飾り糸５０を緩め送る上飾り糸送り機構４０と、が設けられる。
【００１７】
上飾り糸送り機構４０は、機体１１の外部に接設する少なくとも１つの位置決め部４１と、位置決め部４１から延伸して連結され、それぞれ揺動シャフト３１の両側に位置する２つの糸通過台４２と、糸通過台４２に設けられ上飾り糸５０を通すための少なくとも１つの穿孔４２１とを有する。
【００１８】
また、位置決め部４１は、糸通過台４２の高さ位置を調整することが可能な長孔４１１をさらに具備することによって、糸通過台４２の高さ位置を調整することで穿孔４２１の高さを変え、揺動シャフト３１が上飾り糸５０を押圧し糸を緩め送る供給量を変化させることができる。
【００１９】
また、位置決め部４１及び糸通過台４２は、延伸部４３によって連結されてもよい。特筆したいのは、位置決め部４１が接設する箇所に、さらに複数の縫合糸が通されて糸緩めを可能とする縫合糸緩め器２０を設けることも可能である。縫合糸緩め器２０は、揺動シャフト３１が揺動する際に、先端に通されている４本の縫合糸を供給することで糸緩めを実現し、縫合糸をアーム式ミシン１０に常に供給する目的を達成する（当業者に熟知されている技術のため、図示しない）。
【００２０】
本考案は、揺動シャフト３１の連続揺動と、揺動シャフト３１の両側に位置する糸通過台４２に通された上飾り糸５０を押圧することにより、上飾り糸５０を緩め、常にアーム式ミシン１０において上飾り糸５０を用いて縫合する目的を達成する。上述の内容から、本考案のアーム式ミシン１０において、縫合中に上飾り糸５０が断線した場合、上飾り糸送り機構４０は、上飾り糸５０が絡まることなく、かつ、上飾り糸送り機構４０が機体１１の外部に設置されているため、利用者がより簡易的に上飾り糸５０を再度通すことを可能とし、利用者の操作性を保つことができる。
【００２１】
次に、図１のアーム式ミシン１０の部分拡大図及びその動作を示す図５及び図６を参照して説明する。
図から分かるように、アーム式ミシン１０の縫合動作を操作するとき、上飾り糸５０は、揺動シャフト３１の両側に位置する糸通過台４２の穿孔４２１からそれぞれ通され、図５のように揺動シャフト３１下部を横切る。このため、揺動軸３０が揺動シャフト３１を駆動させ下方に向かって押圧するとき、揺動シャフト３１の下部が上飾り糸５０を押圧し、上飾り糸５０の一端が前記アーム式ミシン１０によって縫合された縫合糸に固定されているため（当業者に熟知されている技術のため、図示しない）、糸台１２（図１に示す）の上飾り糸５０が送り出される状態になる（図６に示す）。なお、アーム式ミシン１０が縫合を連続動作し、揺動軸３０が揺動シャフト３１を上方向に駆動するとき、上飾り糸５０は、縫合糸を押圧固定させて糸を緩めた状態をアーム式ミシン１０に提供する。このように、揺動シャフト３１の連続揺動及び揺動シャフト３１の両側に位置する糸通過台４２に通された上飾り糸５０を押圧することによって、上飾り糸５０を緩め、常にアーム式ミシン１０に上飾り糸５０を送り出し縫合させる目的が達成できる。
【００２２】
本考案の第二実施例に係るアーム式ミシンの上飾り糸送り機構の分解斜視図を、図７に示す。本考案が説明する上飾り糸送り機構４０を、図から理解することができる。位置決め部４１と糸通過台４２の間は、延伸部４３によって連結されることが可能であり、延伸部４３は、糸通過台４２の高さ位置を調整することが可能な長条孔４３１を有し、糸通過台４２の高さ位置を調整することによって、穿孔４２１の高さを変更し、揺動シャフト３１が上飾り糸５０を押圧して糸を緩め、送り出す量を変更する。
【００２３】
最後に、本考案の第三実施例に係るアーム式ミシンの上飾り糸送り機構の分解斜視図を、図８に示す。本考案が説明する上飾り糸送り機構４０を、図から理解することができる。糸通過台４２及び延伸部４３の間は、連結部材４４によって連結されることも可能であり、連結部材４４は、糸通過台４２の高さ位置を調整することが可能な調整孔４４１を有し、糸通過台４２の高さ位置を調整することによって、穿孔４２１の高さを変更し、揺動シャフト３１が上飾り糸５０を押圧して糸を緩め、送り出す量を変更する。
【符号の説明】
【００２４】
１０・・・アーム式ミシン
１１・・・機体
１２・・・糸台
２０・・・縫合糸緩め器
３０・・・揺動軸
３１・・・揺動シャフト
４０・・・上飾り糸送り機構
４１・・・位置決め部
４１１・・長孔
４２・・・糸通過台
４２１・・穿孔
４３・・・延伸部
４３１・・長条孔
４４・・・連結部材
４４１・・調整孔
５０・・・上飾り糸
【図１】
0003204553.tif 000003
【図２】
0003204553.tif 000004
【図３】
0003204553.tif 000005
【図４】
0003204553.tif 000006
【図５】
0003204553.tif 000007
【図６】
0003204553.tif 000008
【図７】
0003204553.tif 000009
【図８】
0003204553.tif 000010